(57)【要約】【課題】放送受信機を起動直後に、複数のチャネルの電子番組表（ＥＰＧ）情報を取得して、直ちに表示できるようにする。【解決手段】デジタル放送受信機１ｂは、例えば、車載用の受信機のように、全チャンネルのＥＰＧ情報の取得に時間がかかる受信機である。デジタル放送受信機１ａでは、かかるＥＰＧ情報を迅速に受信できるものであり、取得したＥＰＧ情報は、これを識別可能なファイルとして、蓄積される。このデジタル放送受信機１ａにリムーバブル記録媒体を装填すると、蓄積されているＥＰＧ情報がこのリムーバブル記録媒体２にコピーされる。このリムーバブル記録媒体２をデジタル放送受信機１ａから取り外し、別の場所のデジタル放送受信機ｂに装填すると、このデジタル放送受信機１ｂを起動すると同時に、リムーバブル記録媒体２からＥＰＧ情報が読み込まれ、デジタル放送受信機１ｂで使用することができる。【選択図】図１
2007189323.tif 000002
【特許請求の範囲】
【請求項１】
電子番組表情報のファイルを記録したリムーバブル記録媒体において、
放送受信機に装填した状態で該放送受信機を起動したときに、電子番組表情報として識別して読み出し可能としたことを特徴とするリムーバブル記録媒体。
【請求項２】
請求項１記載のリムーバブル記録媒体において、
前記電子番組表情報のファイルは、そのファイル名に特定の拡張子を付加するか、該ファイル名の文字列を特定の文字列にするか、前記電子番組表情報のファイルを特定の文字列のフォルダ内に保存することにより、電子番組表情報として識別して読み出し可能としたことを特徴とするリムーバブル記録媒体。
【請求項３】
請求項１記載のリムーバブル記録媒体において、
前記電子番組表情報のファイルを所定のファイル名で保存するとともに、該ファイル名が前記電子番組表情報であることを示す設定ファイルを保存することにより、設定ファイルに記載されたファイル名のファイルを電子番組表情報として識別して読み出し可能としたことを特徴とするリムーバブル記録媒体。
【請求項４】
請求項３記載のリムーバブル記録媒体において、
前記電子番組表情報のファイル名と前記電子番組表に関連した制御情報とを記載した設定ファイルを記録し、該設定ファイルを読み出して前記電子番組表情報に関連した該制御情報を読み出し可能としたことを特徴とするリムーバブル記録媒体。
【請求項５】
リムーバブル記録媒体のメディアドライバを備えた放送受信機において、
電子番組表情報を記録したリムーバブル記録媒体が該メディアドライバに装填して起動したときに、該電子番組表情報を該リムーバブル記録媒体から読み込んで電子番組表を表示可能としたことを特徴とする放送受信機。
【請求項６】
請求項５記載の放送受信機を第１の放送受信機として備えた放送受信システムであって、
前記リムーバブル記録媒体に前記電子番組表情報のファイル名と前記電子番組表情報に関連した制御情報とを記載した設定ファイルを記録する第２の放送受信機を備え、
該設定ファイルを記録した前記リムーバブル記録媒体を該第１の放送受信機のメディアドライバに装填された該第１の放送受信機が、起動したとき、前記リムーバブル記録媒体から該設定ファイルを読み込んで前記電子番組表情報に関連した該制御情報を読み込み、前記電子番組表情報による電子番組表に関連した制御を可能としたことを特徴とする放送受信システム。
【請求項７】
請求項６記載の放送受信システムにおいて、
前記電子番組表情報に関連した制御情報は、少なくとも自動選局，受信予約，録画予約に関する情報であることを特徴とする放送受信システム。
【発明の詳細な説明】
【技術分野】
【０００１】
本発明は、放送番組の電子番組表情報を記録するリムーバブル記録媒体と、かかるリムーバブル記録媒体のドライバを備え、電子番組表を用いて制御可能な放送受信機及び放送受信システムに関するものである。
【背景技術】
【０００２】
従来、リムーバブル記録媒体を用いることにより、複数の機器間で放送番組表の受け渡しするようにした技術が知られている。
【０００３】
その一例としては、携帯型レコーダ／プレーヤで作成した放送番組の録画予約情報を家庭内でのホームサーバ装置にリムーバブル記録媒体を用いて転送し、ホームサーバ装置では、この予約録画情報に基づいて録画予約された放送番組を受信して録画し、さらに、録画されたこの放送番組をリムーバブル記録媒体を用いて上記の携帯型レコーダ／プレーヤに転送し、この携帯型レコーダ／プレーヤでこの録画番組を視聴できるようにした技術が提案されている（特許文献１参照）。
【０００４】
この特許文献１に記載の技術によると、上記の携帯型レコーダ／プレーヤでは、放送局や番組表サーバからＥＰＧ（放送番組の電子番組表）の情報（以下、ＥＰＧ情報という）を受信することができ、かかる情報をもとにＥＰＧを画面表示することにより、希望する放送番組を指定してその録画予約をすることができる。この録画予約された放送番組に対しては、この放送番組を表わす静止画像データとこの録画予約された放送番組をホームサーバ装置で予約録画して保存させるためのスクリプトとからなるエージェントデータが作成される。この携帯型レコーダ／プレーヤにリムーバブル記録媒体が装着されていると、このリムーバブル記録媒体に作成されたエージェントデータが記録される。このリムーバブル記録媒体をホームサーバ装置に装着すると、このリムーバブル記録媒体に記録されているエージェントデータが読み出され、ホームサーバ装置では、このエージェントデータに従って録画予約された放送番組の予約録画とハードディスクへの記録が行なわれる。また、ハードディスクに記録された予約録画の放送番組はリムーバブル記録媒体に記録され、このリムーバブル記録媒体を携帯型レコーダ／プレーヤに装着することにより、この放送番組が携帯型レコーダ／プレーヤに読み取られて再生表示することができる。
【特許文献１】特開２００３−３４８５０８号公報
【発明の開示】
【発明が解決しようとする課題】
【０００５】
上記特許文献１に記載の技術では、携帯型レコーダ／プレーヤでＥＰＧ情報を受信でき、これに基づいて放送番組の電子番組表を表示することができるが、通常、このような携帯型の機器では、ＥＰＧ情報を取得するのに時間がかかるという問題がある。特に、電源が切られているときには、ＥＰＧ情報を取得することができない。例えば、携帯型の機器として、車載用のテレビ受信機の場合、チューナが１つしかない上に、車を使用しないときには、電源が切られているので、ＥＰＧ情報を受信することができず、電源を入れても、直ぐには、ＥＰＧ情報を受信することができず、従って、電子番組表は直ぐには表示されない。
【０００６】
また、上記特許文献１に記載の技術では、携帯型レコーダ／プレーヤで録画予約された放送番組を表示によって確認できるために、リムーバブル記録媒体を用いて提供されるエージェントデータとして、録画予約番組を表わすための静止画データが含まれているが、かかる静止画データは放送局が提供されるものではなく、このため、これを作成するための手段が必要となるし、あるいは番組表サーバから提供されるようにすることが必要となり、夫々の機器に付加的な手段が必要となるという問題がある。
【０００７】
さらにまた、上記特許文献１に記載の技術では、エージェントデータに含まれるスクリプト情報は、録画予約された放送番組を録画するために必要な一種のプログラムであり、これを用いるホームサーバ装置は、種々のスクリプトを実行できる機能が必要となるという問題がある。
【０００８】
本発明の目的は、かかる問題を解消し、必要最小限度の情報を用いて、手間を掛けず、直ちに電子番組表を取得して表示させることができ、リムーバブル記録媒体とこれを用いた放送受信機及び放送受信システムを提供することにある。
【課題を解決するための手段】
【０００９】
上記目的を達成するために、本発明は、電子番組表情報のファイルを記録したリムーバブル記録媒体であって、放送受信機に装填した状態で該放送受信機を起動したときに、電子番組表情報として識別して読み出し可能としたことを特徴とするものである。
【００１０】
また、本発明は、上記のリムーバブル記録媒体において、電子番組表情報のファイルが、そのファイル名に特定の拡張子を付加するか、ファイル名の文字列を特定の文字列にするか、電子番組表情報のファイルを特定の文字列のフォルダ内に保存することにより、電子番組表情報として識別して読み出し可能としたことを特徴とするものである。
【００１１】
また、本発明は、上記のリムーバブル記録媒体において、電子番組表情報のファイルを所定のファイル名で保存するとともに、ファイル名が電子番組表情報であることを示す設定ファイルを保存することにより、設定ファイルに記載されたファイル名のファイルを電子番組表情報として識別して読み出し可能としたことを特徴とするものである。
【００１２】
また、本発明は、上記のリムーバブル記録媒体において、電子番組表情報のファイル名と電子番組表に関連した制御情報とを記載した設定ファイルを記録し、設定ファイルを読み出して電子番組表情報に関連した制御情報を読み出し可能としたことを特徴とするものである。
【００１３】
上記目的を達成するために、本発明は、リムーバブル記録媒体のメディアドライバを備えた放送受信機であって、電子番組表情報を記録したリムーバブル記録媒体がメディアドライバに装填して起動したときに、電子番組表情報をリムーバブル記録媒体から読み込んで電子番組表を表示可能としたことを特徴とするものである。
【００１４】
上記目的を達成するために、本発明は、上記の放送受信機を第１の放送受信機として備えた放送受信システムであって、リムーバブル記録媒体に電子番組表情報のファイル名と電子番組表情報に関連した制御情報とを記載した設定ファイルを記録する第２の放送受信機を備え、設定ファイルを記録したリムーバブル記録媒体を第１の放送受信機のメディアドライバに装填された第１の放送受信機が、起動したとき、リムーバブル記録媒体から設定ファイルを読み込んで電子番組表情報に関連した制御情報を読み込み、電子番組表情報による電子番組表に関連した制御を可能としたことを特徴とするものである。
【００１５】
また、本発明は、上記の放送受信システムであって、電子番組表情報に関連した制御情報が、少なくとも自動選局，受信予約，録画予約に関する情報であることを特徴とするものである。
【発明の効果】
【００１６】
本発明によると、予め別の受信機で受信したＥＰＧ情報を、そのＥＰＧ情報を記録したリムーバブル記録媒体を装填して起動するだけで、取得することができ、放送電波を受信することなくＥＰＧを表示できるという効果がある。
【発明を実施するための最良の形態】
【００１７】
以下、本発明の実施形態を図面を用いて説明する。
【００１８】
図１は本発明による放送受信システムの一実施形態を示す構成図であって、１ａ，１ｂは本発明による放送受信機としてのデジタル放送受信機、２は本発明によるリムーバブル記録媒体、３は放送アンテナ、４ａ，４ｂは表示装置、５ａ，５ｂは受信アンテナである。
【００１９】
同図において、デジタル放送受信機１ａは、放送アンテナ３からの放送信号を受信アンテナ５ａで受信し、この受信放送信号の放送番組信号によって表示装置４ａで放送番組を表示するとともに、この受信放送信号に含まれるＥＰＧ情報を蓄積する。この蓄積されたＥＰＧ情報により、表示装置４ａにＥＰＧ（放送番組の電子番組表）を表示することができ、この表示されたＥＰＧを用いて放送中の放送番組の選択や将来放送される番組の受信予約，録画予約などを行なうことができる。また、このデジタル放送受信機１ａにリムーバブルハードディスクなどのリムーバブル記録媒体２を装填し、コピー操作を行うことにより、このデジタル放送受信機１ａに蓄積されたＥＰＧ情報をリムーバブル記録媒体２にコピーすることができる。
【００２０】
他のデジタル放送受信機１ｂでも、リムーバブル記録媒体２を装填することができ、デジタル放送受信機１ａでＥＰＧ情報がコピーされたリムーバブル記録媒体２をデジタル放送受信機１ｂに装填すると、このリムーバブル記録媒体２からＥＰＧ情報が読み取られて蓄積される。
【００２１】
これにより、デジタル放送受信機１ｂでは、デジタル放送受信機１ａと同様、この蓄積されたＥＰＧ情報に基づいて、表示装置４ｂに上記と同じＥＰＧを表示させることができ、この表示されたＥＰＧを用いて放送中の放送番組の選択や将来放送される番組の受信予約，録画予約などを行うことができる。
【００２２】
従って、デジタル放送受信機１ｂが、例えば、車載用の受信機などの携帯型の受信機のように、ＥＰＧ情報の取得に手間や時間がかかるものであっても、予めＥＰＧ情報を取得し易い家庭内のデジタル放送受信機１１ａからリムーバブル記録媒体２にＥＰＧ情報を取得し、これをかかるデジタル放送受信機１ｂに装填するだけでこのデジタル放送受信機１ｂで、操作なしに直ちにＥＰＧ情報を取得することができる。
【００２３】
図２は本発明による放送受信機の第１の実施形態を示すブロック構成図であって、１はデジタル放送受信機１ａ，１ｂ、４は図１における表示装置４ａ，４ｂ、５は図１における受信アンテナ５ａ，５ｂ、６は制御部、７はＴＶチューナ部、８は信号処理部、９はメディアドライバ、１０はＥＰＧ情報蓄積部、１１，１２は出力端子、１３はスピーカであり、図１に対応する部分には同一符号を付けている。
【００２４】
同図において、受信アンテナ５で受信された放送信号は、ＴＶチューナ部７で選局され、信号処理部８において、信号処理と、放送番組信号とＥＰＧ情報との分離とが行なわれ、ＥＰＧ情報はＥＰＧ情報蓄積部１０に蓄積される。また、分離された放送番組信号の映像信号は出力端子１１から表示装置４に供給され、音声信号は出力端子１２からスピーカ１３に供給される。
【００２５】
ここで図示しないが、このデジタル放送受信機１が複数（例えば、２個）のＴＶチューナ部７とこれら毎の信号処理部８を備えている場合には、その１つが放送番組の受信に用いられ、他のものがＥＰＧ情報の受信に用いられ、選局チャンネルが順次切り換えられることにより、全てのチャンネルのＥＰＧ情報を取得することができる。これらのＥＰＧ情報は、制御部６の制御のもとに、例えば、ＥＰＧ情報記憶部１０で全チャンネルにまとめたＥＰＧ情報が作成され、ＥＰＧ情報のファイルとして、そのファイルを特定する拡張子が付加されて蓄積される。新たなＥＰＧ情報が受信される毎にかかるＥＰＧ情報のファイルが作成され、ＥＰＧ情報記憶部１０に蓄積される。図１におけるデジタル放送受信機１ａが、かかるデジタル放送受信機１に相当するものである。
【００２６】
メディアドライバ９にリムーバブルハードディスクなどのリムーバブル記録媒体２が装填され、図示しない操作手段でＥＰＧ情報のコピー操作が行なわれると、制御部６の制御により、ＥＰＧ情報蓄積部１０から拡張子付きのＥＰＧ情報のファイルが読み出され、リムーバブル記録媒体２に記録される。
【００２７】
デジタル放送受信機１が図１におけるデジタル放送受信機１ｂである場合には、ここでは、ＴＶチューナ部７や信号処理部８は１つずつしか備えていない。この場合でも、受信放送信号からＥＰＧ情報を取得することができるが、全てのチャンネルのＥＰＧ情報を取得しようとすると、ＴＶチューナ部７で各チャンネルの選局の切り換え操作をしなければならない。
【００２８】
かかるデジタル放送受信機１では、デジタル放送受信機１ａとしての上記のデジタル受信機１で拡張子付きのＥＰＧ情報のファイルがコピー（記録）されたリムーバブル記録媒体２をメディアドライバ９に装填し、これが起動することにより（電源がオフのときには、電源を投入することにより、制御部６の制御により、メディアドライバ９がリムーバブル記録媒体２が装填されていることを検出して起動し、また、電源がオンであるときには、メディアドライバ９がリムーバブル記録媒体２の装填を検出して起動し）、リムーバブル記録媒体２に記録されているＥＰＧ情報ファイルをその拡張子を基に読み取ってＥＰＧ情報蓄積部１０にコピー（蓄積）する。このＥＰＧ情報ファイルは直ちに読み出され、信号処理部８で処理された後、出力端子１１から表示装置４に供給される。
【００２９】
この結果、メディアドライバ９の起動後、直ちに複数チャンネルのＥＰＧが表示装置４で表示され、好みの放送番組を見つけて受信するようにすることができるし、また、デジタル放送受信機１ａと同様、この表示されたＥＰＧを用いて放送中の放送番組の選択や将来放送される番組の受信予約，録画予約などを行うことができる。
【００３０】
勿論、ＥＰＧ情報蓄積部１０に蓄積されたＥＰＧ情報のファイルは、図示しない操作手段の操作に伴う制御部６の制御により、いつでも読み出されて表示装置４にＥＰＧを表示させることにができ、放送中の放送番組の選択や将来放送される番組の受信予約，録画予約などを行うことができる。
【００３１】
図３は図１に示すシステムの以上の動作を示すフローチャートである。
【００３２】
同図において、デジタル放送受信機１ａは、受信した放送信号からＥＰＧ情報を取得し、これをＥＰＧ情報蓄積部１０（図２）に蓄積する動作を行なっている（Ｓ（ステップ）１）。このとき、リムーバブル記録媒体２がメディアドライバ９（図２）に装填されていないときには、かかる動作が行なわれる状態となっているが、リムーバブル記録媒体２がメディアドライバ９に装填されると（Ｓ２）、このときＥＰＧ情報蓄積部１０に蓄積されているＥＰＧ情報のファイルが読み出され、このリムーバブル記録媒体２にコピー（記録）される（Ｓ３）。
【００３３】
このように、ＥＰＧ情報のファイルがコピーされたリムーバブル記録媒体２をデジタル放送受信機１ａから取り出し（Ｓ４）、デジタル放送受信機１ｂのメディアドライバ９（図２）に装填し（Ｓ５）、このデジタル放送受信機１ｂを起動すると（Ｓ６）、このリムーバブル記録媒体２からＥＰＧ情報のファイルが自動的に読み出され、ＥＰＧ情報蓄積部１０（図２）に蓄積される（Ｓ７）。このＥＰＧ情報のファイルは直ちに読み出され、これにより表示装置４でＥＰＧが表示される。このＥＰＧをもとに、放送中の放送番組の選択や将来放送される番組の受信予約，録画予約などを行うことができる（Ｓ８）。
【００３４】
図４は表示装置４，４ａ，４ｂで表示されるＥＰＧ１４の一具体例を模式的に示す図である。
【００３５】
同図において、ＥＰＧ１４では、各チャンネル１４ａ毎に、放送時間１４ｂ毎の放送番組が番組名１４ｃで表示される。ここでは、チャンネル（ｃｈ）１，２，３の３つのチャンネルの場合を示している。
【００３６】
図５はＥＰＧ情報蓄積部１０に蓄積され、リムーバブル記録媒体２にコピーされるＥＰＧ情報ファイルのファイル名の具体例を示す図である。
【００３７】
ＥＰＧ情報ファイルのファイル名は、そのＥＰＧ情報を取得（受信）した日時の情報とこのファイルを特定する拡張子が付加されたものであるが、その一具体例を示す図５（ａ）においては、例えば、「050824-0800.epg」で表わされる。ここで、「epg」はファイル名「050824-0800.epg」のＥＰＧ情報ファイルの拡張子であり、このファイルがＥＰＧ情報ファイルであることを特定している。また、日時情報「050824-0800」の「050824」は、ＥＰＧ情報の取得日が2005年8月25日であることを示し、また、「0800」は、取得時刻が８時００分であることを示している。
【００３８】
ここで、デジタル放送受信機１ａのＥＰＧ情報蓄積部１０では、過去に取得したＥＰＧ情報のファイルも、消去せずに、取得日の早い順に配列して保持されており、リムーバブル記憶媒体２には、これに全てのＥＰＧ情報ファイルがコピーされ、他方のデジタル放送受信機１ｂでこれらを読み取ることができるようにしている。このように、過去に取得したＥＰＧ情報のファイルも、消去せずに保存することにより、過去のＥＰＧで受信予約や録画予約した放送番組を確認することができる。
【００３９】
これに対し、このように、ＥＰＧ情報を受信した日時をファイル名よりわかるようにしているので、リムーバブル記録媒体２には、デジタル放送受信機１ｂが、既に蓄積済みのＥＰＧ情報の取得日時から、取得日時が最も新しいＥＰＧ情報ファイル（図５（ａ）では、ファイル名「050827-1530.epg」のファイル）を選択することにより、かかるＥＰＧ情報ファイルだけをコピーし、これを他方のデジタル放送受信機１ｂに提供するようにすることもできる。
【００４０】
なお、図５（ａ）は、ファイル名として、取得日時情報の後に拡張子「epg」を付加したものであるが、図５（ｂ）に示すように、かかる拡張子「epg」をファイル名の先頭に付加するようにしてもよい。
【００４１】
また、ＥＰＧ情報ファイルをフォルダに保存した場合には、このファイル名には、上記の拡張子に代えて、そのフォルダ名もしくはパス名「\epg\」を付加するようにしてもよい。
【００４２】
図６は本発明によるリムーバブル記録媒体及びこれを用いた放送受信機の第２の実施形態でのＥＰＧの一具体例を示す図であって、１５は受信予約番組の番組枠、１６は録画予約番組の番組枠である。
【００４３】
この第２の実施形態を用いたシステム構成も、図１に示す構成と同様であり、また、放送受信機の構成も、図２に示す構成と同様である。
【００４４】
図２に示す構成のこの第２の実施形態のデジタル放送受信機１ａは、先の第１の実施形態のデジタル放送受信機１ａの構成，機能を備えたものであるが、さらに、リムーバブル記録媒体２にコピーするＥＰＧ情報について、受信予約や録画予約を行なうことができる。従って、この場合の受信予約や録画予約による予約番組の受信や録画は、デジタル放送受信機１ａで行なわれるものではなく、他方のデジタル放送受信機１ｂで行なわれるようにするためのものである。
【００４５】
図６は、このときのデジタル放送受信機１ａの表示装置４ａ（図２での表示装置４）で表示されるＥＰＧ１４を示すものである。
【００４６】
このＥＰＧ１４では、図４に示したＥＰＧ１４と同様、各チャンネル１４ａ毎に、放送時間１４ｂ毎の放送番組が番組名１４ｃで表示されるが、図２に示す構成のデジタル放送受信機１ａでの図示しない操作部での操作により、他のデジタル放送受信機１ｂを指定した後、所定の番組について、受信予約あるいは録画予約をすると、制御部６（図２）により、これらの予約情報が作成され、ＥＰＧ情報蓄積部１０に格納されるとともに、この予約情報に基づいて、図６に示すように、受信予約された、例えば、ｃｈ２の１２時及び１３時の時間帯に放送される番組名「サンデー・ノンフィクション」の放送番組の表示エリアを囲むように、破線で示すような受信予約番組の番組枠１５が表示され、また、録画予約された例えば、ｃｈ１の１４時及び１５時の時間帯に放送される番組名「日曜演芸」の放送番組の表示エリアを囲むように、太い実線で示すような受信予約番組の番組枠１５が表示される。
【００４７】
図７はかかる予約情報の一具体例を示す図である。
【００４８】
同図において、この予約情報は、設定ファイルであるivdr.iniの中に一括指定されるものであり、「epg」セクションと「yoyaku」セクションと「sichou」セクションと「senkyoku」セクションとのセクションのいずれかが設定される。
【００４９】
「epg」セクションはＥＰＧ情報ファイルとの関連付けをするためのものであって、ｆｉｌｅキーにＥＰＧ情報ファイルのファイル名（例えば、図５（ａ）での「f050827-1530」）が記載される。「yoyaku」セクションは録画予約番組の情報を記載する領域であり、「sichou」セクションは受信予約番組の情報を記載する領域である。これら夫々のセクションには、予約番組に対応するcodeキーが記載されており、かかるcodeキーの値は予約番組の放送日時や放送時間，チャネル番号などを特定できるように、デジタル放送装受信機内部で符号化したコードである。「senkyoku」セクションは自動選局チャンネル情報（即ち、電源オンしたときに自動的に選局されるチャンネルの情報）であって、そのchannelキーは初期選局のチャネル番号を表わすものである。
【００５０】
このように、番組予約がなされた後、リムーバブル記録媒体２がこのデジタル放送受信機１ａのメディアドライバ９（図２）に装着されると、自動的にあるいは操作部の所定の操作により、ＥＰＧ情報ファイルがかかる予約情報とともにＥＰＧ情報蓄積部１０から読み出され、このリムーバブル記録媒体２にコピー（記録）される。
【００５１】
なお、この場合のＥＰＧ情報蓄積部１０に蓄積された予約情報は、デジタル放送受信機１ａで使用することができず、リムーバブル記録媒体２へコピーとともに、消去されるようにしてもよい。
【００５２】
そして、このリムーバブル記録媒体２をデジタル放送受信機１ｂに装着すると、予約情報とＥＰＧ情報とが読み取られ、ＥＰＧ情報蓄積部１０に蓄積される。これにより、このデジタル放送受信機１ｂでは、この予約情報とＥＰＧ情報とに基づいて、初期選局や受信予約，録画予約が実行される。即ち、デジタル放送受信機１ｂの電源がオンされると、予約情報の「senkyoku」セクションのchannelキーによって指定されているチャンネル（図７に示す予約情報の場合、ｃｈ５）が自動選局され、受信が開始される。また、「yoyaku」セクションのcodeキーで指定される録画予約番組の放送開始日時になると、その番組が指定放送時間録画されるし、「sichou」セクションのcodeキーで指定される受信予約番組の放送開始日時になると、その番組が指定放送時間受信される。
【００５３】
なお、デジタル放送受信機１ｂにおいて、操作部でＥＰＧの表示を指示する操作がなされると、制御部６の制御のもとに、ＥＰＧ情報蓄積部１０からＥＰＧ情報と予約情報とが読み出され、表示装置４ｂに図６に示すのと同様のＥＰＧ１４が表示される。
【００５４】
このようにして、この第２の実施形態では、家庭内などのユーザが使用できるデジタル放送受信機１ａを用いて、ＥＰＧ情報を取得するとともに、このＥＰＧ情報によるＥＰＧをもちに番組の自動選局や受信予約，録画予約を行なうことにより、移動先のデジタル放送受信機１ｂにおいて、かかる自動選局や番組予約を行なうことなく、デジタル放送受信機１ａで予め選択した番組の自動選局や受信，録画を行なうことができる。しかも、デジタル放送受信機１ｂでは、ＥＰＧ情報そのものを取得するものであり、しかも、番組の自動選局や受信予約，録画予約といった予約情報がＥＰＧ情報の予約制御のための制御情報として付加されたものであるから、かかる受信予約や録画予約がＥＰＧ上で表示され、かつかかる予約の情報に基づいて受信予約や録画予約の処理が行なわれるものであり、上記特許文献１に記載のような静止画データも必要ないし、スクリプト情報も必要ない。
【００５５】
以上のように、上記実施形態では、デジタル放送受信機で起動直後に最新のＥＰＧ情報を受信・蓄積できていなくても、最新のＥＰＧ情報を保持したリムーバブル記録媒体より読み取って直ちに表示させることができるものであり、かかるデジタル放送受信機が、特に、車輌に装備される可能性の高い地上デジタル放送１チャネルのみのＴＶチューナを搭載したデジタル放送受信機である場合、複数チャネルのＥＰＧ情報を取得するのに時間がかかるが、上記実施形態によると、ＥＰＧ情報を直ちに取得することが可能となり、利便性が向上する。
【図面の簡単な説明】
【００５６】
【図１】本発明によるリムーバブル記録媒体を用いた放送受信機からなるシステムを示す構成図である。
【図２】本発明による放送受信機の第１の実施形態である図１におけるデジタル放送受信機の具体的な構成をブロック図で示すブロック構成図である。
【図３】図１に示すシステムの動作の一具体例を示すフローチャートである。
【図４】図２における表示装置で表示されるＥＰＧの一具体例を模式的に示す図である。
【図５】図２におけるＥＰＧ情報蓄積部に蓄積され、また、リムーバブル記録媒体にコピーされるＥＰＧ情報のファイルの具体例を示す図である。
【図６】本発明によるリムーバブル記録媒体を用いた放送受信機の第２の実施形態でのＥＰＧの一具体例を示す図である。
【図７】本発明の実施の形態に関わるリムーバブル記録媒体に記録されるファイルの他の例を示したものである。
【符号の説明】
【００５７】
１，１ａ，１ｂ  デジタル放送受信機
２  リムーバブル記録媒体
３  放送アンテナ
４，４ａ，４ｂ  表示装置
５，５ａ，５ｂ  受信アンテナ
６  制御部
７  ＴＶチューナ部
８  信号処理部
９  メディアドライバ
１０  ＥＰＧ情報蓄積部
１１  映像の出力端子
１２  音声の出力端子
１３  スピーカ
１４  電子番組表（ＥＰＧ）
１５  受信予約番組の番組枠
１６  録画予約番組の番組枠
【図１】
2007189323.tif 000003
【図２】
2007189323.tif 000004
【図３】
2007189323.tif 000005
【図４】
2007189323.tif 000006
【図５】
2007189323.tif 000007
【図６】
2007189323.tif 000008
【図７】
2007189323.tif 000009